(57)【要約】【課題】災害による被災地など電力の確保が困難な地域において、必要な電力や温水・飲料水を迅速に供給することができる可搬式発電装置を提供する。【解決手段】電力を発生する発電機と、前記発電機を駆動する駆動機関と、前記発電機と前記駆動機関を移動可能な台車に搭載した可搬式発電装置において、前記発電装置より発生する熱を回収する熱回収装置と、前記熱回収装置に水を導入する給水装置と、前記熱回収装置から湯水を排出する配水装置と、前記給水装置−前記熱回収装置−前記配水装置の給排水ラインの途中または当該ライン前後に当該ラインを流れる水または湯水を浄化する浄水装置とを備えているので、災害による被災地など電力の確保が困難な地域において、必要な電力や温水・飲料水を迅速に供給することができる可搬式発電装置を提供できる。【選択図】図１
2007303778.tif 000002
【特許請求の範囲】
【請求項１】
電力を発生する発電機と、前記発電機を駆動する駆動機関と、前記発電機と前記駆動機関を移動可能な台車に搭載した可搬式発電装置において、前記発電装置より発生する熱を回収する熱回収装置と、前記熱回収装置に水を導入する給水装置と、前記熱回収装置から湯水を排出する配水装置と、前記給水装置−前記熱回収装置−前記配水装置の給排水ラインの途中または当該ライン前後に当該ラインを流れる水または湯水を浄化する浄水装置とを備えることを特徴とする可搬式発電装置。
【請求項２】
請求項１記載の可搬式発電装置において、熱回収装置より後段に湯水を加熱する加熱手段を設けたことを特徴とする可搬式発電装置。
【請求項３】
請求項１または請求項２記載の可搬式発電装置において、移動可能な台車を、内燃機関を搭載した車両としたことを特徴とする可搬式発電装置。
【請求項４】
請求項１または請求項２記載の可搬式発電装置において、移動可能な台車を、内燃機関を搭載した車両により牽引することを特徴とする可搬式発電装置。
【請求項５】
請求項１ないし請求項４のいずれかに記載の可搬式発電装置において、発電機を駆動する駆動機関を内燃機関としたことを特徴とする可搬式発電装置。
【請求項６】
請求項３ないし請求項５のいずれかに記載の可搬式発電装置において、移動用車両の内燃機関と発電機駆動用内燃機関の種類を同一種類とし、燃料タンクを共通としたことを特徴とする可搬式発電装置。
【請求項７】
請求項３ないし請求項６のいずれかに記載の可搬式発電装置において、熱回収装置を車両の最後部または横部に配置したことを特徴とする可搬式発電装置。
【発明の詳細な説明】
【技術分野】
【０００１】
本発明は、可搬式発電装置に係り、特に内燃機関など駆動機関を備えた可搬式発電装置に関する。
【背景技術】
【０００２】
従来、可搬式発電装置は、災害による被災地など電力の確保が困難な地域に用いられて、照明設備、冷暖房装置、通信設備等の電気機器を稼動している。
【０００３】
従来の可搬式発電装置は、図８に示すように、発電機１と駆動機関２を車両１５に搭載して（特許文献１参照）おり、災害による被災地など電力の確保が困難な地域に移動できるように構成されている。また、従来の災害支援システムは、図９に示すように、主として雨水貯留タンク１６と太陽光発電モジュール１７と貯留雨水配送ポンプ１８とを備えている（特許文献２参照）ので、災害時等には雨水利用による給水を行うことができる。
【特許文献１】特開２００２−２８５８５８号公報
【特許文献２】特開２００４−０４４０８９号公報
【発明の開示】
【発明が解決しようとする課題】
【０００４】
しかしながら、上述したように従来の可搬式発電装置は、災害時等に不足する電力の確保には適しているが、被災者が生活する上で必要な飲料水の供給に対しては充分に対応する機能を有していなかった。また、従来の災害支援システムは、雨水や太陽光など自然エネルギーを利用するため気候条件に左右されるので、必要な時に必要なだけ電力や水を供給することは非常に難しく、あくまでも支援システムの範囲内の機能しか有しなかった。
【０００５】
本発明は、上記事情に鑑みてなされたもので、その目的は、災害による被災地など電力の確保が困難な地域において、必要な電力や温水・飲料水を迅速に供給可能な可搬式発電装置を提供することにある。
【課題を解決するための手段】
【０００６】
上記目的を達成するために、請求項１記載の発明は、電力を発生する発電機と、前記発電機を駆動する駆動機関と、前記発電機と前記駆動機関を移動可能な台車に搭載した可搬式発電装置において、前記発電装置より発生する熱を回収する熱回収装置と、前記熱回収装置に水を導入する給水装置と、前記熱回収装置から湯水を排出する配水装置と、前記給水装置−前記熱回収装置−前記配水装置の給排水ラインの途中または当該ライン前後に当該ラインを流れる水または湯水を浄化する浄水装置とを備えることを特徴とする。
【０００７】
請求項２記載の発明は、請求項１記載の可搬式発電装置において、熱回収装置より後段に湯水を加熱する加熱手段を設けたことを特徴とする。
【０００８】
請求項３記載の発明は、請求項１または請求項２記載の可搬式発電装置において、移動可能な台車を、内燃機関を搭載した車両としたことを特徴とする。
【０００９】
請求項４記載の発明は、請求項１または請求項２記載の可搬式発電装置において、移動可能な台車を、内燃機関を搭載した車両により牽引することを特徴とする。
【００１０】
請求項５記載の発明は、請求項１ないし請求項４のいずれかに記載の可搬式発電装置において、前記発電機を駆動する駆動機関を内燃機関としたことを特徴とする。
【００１１】
請求項６記載の発明は、請求項３ないし請求項５のいずれかに記載の可搬式発電装置において、移動用車両の内燃機関と発電機駆動用内燃機関の種類を同一種類とし、燃料タンクを共通としたことを特徴とする。
【００１２】
請求項７記載の発明は、請求項３ないし請求項６のいずれかに記載の可搬式発電装置において、熱回収装置を車両の最後部または横部に配置したことを特徴とする。
【発明の効果】
【００１３】
本発明によれば、災害による被災地など電力の確保が困難な地域において、必要な電力や温水・飲料水を迅速に供給することができる可搬式発電装置を提供することができる。
【発明を実施するための最良の形態】
【００１４】
以下、本発明を実施するための最良の形態を図を参照して説明する。
図１は、本発明の第１の実施形態である可搬式発電装置の構成図である。
【００１５】
図に示すように、本実施形態は、電力を発生する発電機１と、この発電機１を駆動する駆動機関２と、主な熱源である駆動機関２より発生する熱を回収する熱回収装置４と、この熱回収装置４に水を導入する給水装置５と、熱回収装置４から排出された湯水を浄化する浄水装置６と、浄水装置６から湯水を排出する配水装置７とを移動可能な台車３に搭載している。
【００１６】
図では、熱回収装置４の後段に浄水装置６を配置しているが、浄水装置６は給水−熱回収−配水ラインの途中または当該ライン前後のどの位置に配置してもよい。
【００１７】
次に、本実施形態の作用について説明する。
災害による被災地など電力の確保が困難な地域において、発電機１が外部負荷に電力を供給する際に、駆動機関２は負荷に応じた仕事を行うが、仕事は１００％電力に変換されることはなく、電力以外は熱に変換される。その熱を熱回収装置４で回収し、給水装置５より供給される水に熱供給することにより水は温水となる。この温水は、配水装置７により熱回収装置４・浄水装置６を介して配水装置７より排出される。この排出される温水は浄水装置６によって浄化されることで温飲料水となる。従って、給水装置５により供給される水は、プール備蓄水、河川水、湖沼水、井水、地下水、雨水など何でもよい。また、電力のみ必要な場合は給水装置５を停止しておくことで無駄な電力を使用することなく電力のみを供給することができる。
【００１８】
従って、本実施形態によると、災害による被災地など電力の確保が困難な地域において、必要な電力や温水・飲料水を迅速に供給することができる可搬式発電装置を提供することができる。
【００１９】
図２は、本発明の第２の実施形態である可搬式発電装置の構成図である。
図に示すように、本実施形態は、配水装置７より排出される湯水を加熱する加熱手段８を設けており、それ以外は第１の実施形態と同様に構成されている。なお、本実施形態では配水装置７の後段に加熱手段８を配置しているが、加熱手段８は熱回収装置４より後段のどの位置に配置してもよい。
【００２０】
次に、本実施形態の作用について説明する。
災害時における被災地等においては、特に冬場など電力需要より温水需要の多いことがあり、配水装置７より排出される湯水を加熱手段８によって加熱することにより、発電装置の駆動を少なくしたまま浄化された温水を多量に供給することができる。
【００２１】
従って、本実施形態によると、第１の実施形態と同様に、災害による被災地など電力の確保が困難な地域において、必要な電力や温水・飲料水を迅速に供給することができる可搬式発電装置を提供することができる。
【００２２】
図３は、本発明の第３の実施形態である可搬式発電装置の構成図である。
図に示すように、本実施形態は、第１の実施形態の台車の代わりに、台車３に内燃機関９を搭載した車両１０を用いており、それ以外の構成は第１の実施形態と同様な構成である。
【００２３】
次に、本実施形態の作用について説明する。
本実施形態では、発電装置等を搭載した台車３を、内燃機関９を搭載した車両１０としていることにより、災害発生時において可搬式発電装置を迅速に被災地へ移動することが可能となる。
【００２４】
従って、本実施形態によると、第１の実施形態と同様に、災害による被災地など電力の確保が困難な地域において、必要な電力や温水・飲料水を迅速に供給することができる可搬式発電装置を提供することができる。
【００２５】
図４は本発明の第４の実施形態である可搬式発電装置の構成図である。
図に示すように、本実施形態は、発電装置等を搭載した台車３を、内燃機関１１を搭載した車両１２により牽引しており、それ以外の構成は第１の実施形態と同様な構成である。
【００２６】
次に、本実施形態の作用について説明する。
本実施形態では、発電装置等を搭載した台車３を、内燃機関１１を搭載した車両１２により牽引することにより、災害発生時において可搬式発電装置を迅速に被災地へ移動することが可能となる。また、台車３を被災地等へ設置しておくことにより、車両１２は別の台車をさらに別の被災地等へ移動させることができ、災害時などの貴重な重量物運搬車両を有効に活用することができる。
【００２７】
従って、本実施形態は、第１の実施形態と同様に、災害による被災地など電力の確保が困難な地域において、必要な電力や温水・飲料水を迅速に供給することができる可搬式発電装置を提供することができる。
【００２８】
図５は、本発明の第５の実施形態である可搬式発電装置の構成図である。
図に示すように、本実施形態は、第３の実施形態の発電機１を駆動する駆動機関を内燃機関１３としており、それ以外は第３の実施形態と同様な構成である。
【００２９】
次に、本実施形態の作用について説明する。
本実施形態では、第３の実施形態の発電機１を駆動する駆動機関を内燃機関１３とすることにより、例えばガソリン機関であれば機関を駆動する燃料を市販性の高いガソリン油を使用でき、ディーゼル機関であれば機関を駆動する燃料を灯油・軽油・重油など多種の燃料油を使用できることとなり、災害時の被災地等における燃料油不足の状況においても発電装置を駆動することが可能となる。
【００３０】
従って、本実施形態は、第１の実施形態と同様に、災害による被災地など電力の確保が困難な地域において、必要な電力や温水・飲料水を迅速に供給することができる可搬式発電装置を提供することができる。
【００３１】
図６は、本発明の第６の実施形態である可搬式発電装置の構成図である。
図に示すように、本実施形態は、第５の実施形態の移動用車両の内燃機関９と発電機駆動用内燃機関１３の種類を同一種類とし、燃料タンク１４を共通としており、それ以外は第５の実施形態と同様な構成である。
【００３２】
次に、本実施形態の作用について説明する。
本実施形態では、移動用車両の内燃機関９と発電機駆動用内燃機関１３の種類を同一種類として燃料タンク１４を共通とすることにより、燃料補給の手間が半分になり、災害時の緊急欠くべからざる作業を速やかに遂行することが可能となる。
【００３３】
従って、本実施形態は、第１の実施形態と同様に、災害による被災地など電力の確保が困難な地域において、必要な電力や温水・飲料水を迅速に供給することができる可搬式発電装置を提供することができる。
【００３４】
図７は、本発明の第７の実施形態である可搬式発電装置の構成図である。
図に示すように、本実施形態は、第３の実施形態の熱回収装置４を車両１０の最後部に配置しており、それ以外は第３の実施形態と同様な構成である。なお、本実施形態では熱回収装置４を車両１０の最後部に配置しているが、熱回収装置４は車両１０の最後部または横部のどの位置に配置してもよい。
【００３５】
次に、本実施形態の作用について説明する。
本実施形態では、熱回収装置４を車両１０の最後部に配置しているので、給水装置５や配水装置７等の被災地側の配水系統と取り合いを行う部分の自由度が大きくなり、配水系統とのつなぎ込み等の媒介作業を速やかに行うことができる。
【００３６】
従って、本実施形態は、第１の実施形態と同様に、災害による被災地など電力の確保が困難な地域において、必要な電力や温水・飲料水を迅速に供給することができる可搬式発電装置を提供することができる。
【図面の簡単な説明】
【００３７】
【図１】本発明の第１の実施形態の可搬式発電装置の構成図。
【図２】本発明の第２の実施形態の可搬式発電装置の構成図。
【図３】本発明の第３の実施形態の可搬式発電装置の構成図。
【図４】本発明の第４の実施形態の可搬式発電装置の構成図。
【図５】本発明の第５の実施形態の可搬式発電装置の構成図。
【図６】本発明の第６の実施形態の可搬式発電装置の構成図。
【図７】本発明の第７の実施形態の可搬式発電装置の構成図。
【図８】従来の可搬式発電装置の構成図。
【図９】従来の災害支援システムの構成図。
【符号の説明】
【００３８】
１…発電機、２…駆動機関、３…台車、４…熱回収装置、５…給水装置、６…浄水装置、７…配水装置、８…加熱手段、９…内燃機関、１０…車両、１１…内燃機関、１２…車両、１３…内燃機関、１４…燃料タンク、１５…車両、１６…雨水貯留タンク、１７…太陽光発電モジュール、１８…貯留雨水配送ポンプ。
【図１】
2007303778.tif 000003
【図２】
2007303778.tif 000004
【図３】
2007303778.tif 000005
【図４】
2007303778.tif 000006
【図５】
2007303778.tif 000007
【図６】
2007303778.tif 000008
【図７】
2007303778.tif 000009
【図８】
2007303778.tif 000010
【図９】
2007303778.tif 000011